(57)【要約】【課題】筆跡滲みや筆跡カスレが生じることなく、極めて細い線幅の筆跡が得られる水性ボールペンを提供する。【解決手段】内部に水性ゲルインキを収容し、先端にボールペンチップ２を備える。前記ボールペンチップ２先端のボール抱持孔３３内に、外径Ａが０．1 ｍｍ以上０．３ｍｍ未満のボール６を回転可能に抱持する。前記ボール抱持孔３３内におけるボール６の軸方向の移動可能量Ｃを、３μｍ〜１８μｍとする。筆記距離０ｍ〜１００ｍにおけるインキ消費量を、８ｍｇ以上６０ｍｇ未満とする。ボール６の軸方向の突出量Ｌを、ボールの外径Ａの１５％以上２５％未満とする。【選択図】  図２
2006062341.tif 000002
【特許請求の範囲】
【請求項１】
先端のボール抱持孔内に外径０．３ｍｍ未満のボールを回転可能に抱持したボールペンチップを備え、内部に水性インキを収容し、前記ボールペンチップの先端より前記インキを吐出可能に構成した水性ボールペンであって、
前記ボール抱持孔内におけるボールの軸方向の移動可能量が１８μｍ以下であることを特徴とする水性ボールペン。
【請求項２】
筆記距離０ｍ〜１００ｍにおけるインキ消費量が６０ｍｇ未満である請求項１記載の水性ボールペン。
【請求項３】
前記ボールの外径が０．１ｍｍ以上０．３ｍｍ未満であり、前記ボール抱持孔内におけるボールの軸方向の移動可能量が３μｍ〜１８μｍであり、筆記距離０ｍ〜１００ｍにおけるインキ消費量が８ｍｇ以上６０ｍｇ未満である請求項２記載の水性ボールペン。
【請求項４】
前記ボールの軸方向の突出量が、ボールの外径の１５％以上２５％未満である請求項１、２または３記載の水性ボールペン。
【発明の詳細な説明】
【技術分野】
【０００１】
本発明は、極小ボール（即ち外径０．３ｍｍ未満のボール）を備えた水性ボールペンに関する。
【背景技術】
【０００２】
従来、この種のボールペンチップにおいて、例えば、特許文献１には、直径０．３ｍｍ未満のボールを備えた水性ボールペンが記載されている。
【０００３】
【特許文献１】特開２００３−２５１９７９号公報
【発明の開示】
【発明が解決しようとする課題】
【０００４】
前記極小ボールを備えた水性ボールペンは、細い線幅の筆跡が得られ、手帳等の細部への書き込みに最適である。しかし、前記極小ボールを備えた水性ボールペンは、インキ流出性の僅かの違い（ばらつき）によって、筆跡滲みが生じたり、あるいは筆跡カスレが生じ、適正な細い線幅の筆跡が得られないおそれがある。
【０００５】
本発明は、前記従来の問題点を解決するものであって、筆跡滲みが生じたり、筆跡カスレが生じることなく、極めて細い線幅の筆跡が得られる水性ボールペンを提供しようとするものである。
【課題を解決するための手段】
【０００６】
本発明は以下の（請求項１）乃至（請求項４）を要件とする。
【０００７】
（請求項１）
先端のボール抱持孔内に外径０．３ｍｍ未満のボールを回転可能に抱持したボールペンチップを備え、内部に水性インキを収容し、前記ボールペンチップの先端より前記インキを吐出可能に構成した水性ボールペンであって、前記ボール抱持孔内におけるボールの軸方向の移動可能量が１８μｍ以下であることを特徴とする水性ボールペン。
【０００８】
（請求項２）
筆記距離０ｍ〜１００ｍにおけるインキ消費量が６０ｍｇ未満である請求項１記載の水性ボールペン。
【０００９】
（請求項３）
前記ボールの外径が０．１ｍｍ以上０．３ｍｍ未満であり、前記ボール抱持孔内におけるボールの軸方向の移動可能量が３μｍ〜１８μｍであり、筆記距離０ｍ〜１００ｍにおけるインキ消費量が８ｍｇ以上６０ｍｇ未満である請求項２記載の水性ボールペン。
【００１０】
（請求項４）
前記ボールの軸方向の突出量が、ボールの外径の１５％以上２５％未満である請求項１、２または３記載の水性ボールペン。
【発明の効果】
【００１１】
請求項１により、筆跡滲みのない極めて細い線幅の筆跡が得られる。
【００１２】
請求項２により、より一層、筆跡滲みのない極めて細い線幅の筆跡が得られる。
【００１３】
請求項３により、筆跡滲みがなく、しかも、筆跡カスレがない、極めて細い線幅の筆跡が得られる。
【００１４】
請求項４により、紙面に対して斜めに筆記してもボールが紙面から離れることなく十分に筆記可能であり、しかも、前記極細の筆跡を得るためのボールの軸方向の移動可能量を、容易に設定できる。
【発明を実施するための最良の形態】
【００１５】
本発明を実施するための最良の形態を説明する。
【００１６】
本発明の最良の実施の形態は、先端のボール抱持孔３３内に外径０．３ｍｍ（ミリメートル）未満のボール６を回転可能に抱持したボールペンチップ２を備え、内部に水性インキを収容し、前記ボールペンチップ２の先端より前記インキを吐出可能に構成した水性ボールペン１であって、前記ボール抱持孔３３内におけるボール６の軸方向の移動可能量Ｃが１８μｍ（マイクロメートル）以下（好ましくは１５μｍ以下）であること（請求項１）を特徴とする。
【００１７】
前記請求項１の水性ボールペン１は、前記ボール抱持孔３３内におけるボール６の軸方向の移動可能量Ｃを１８μｍ以下（好ましくは１５μｍ以下）にしたことによって、ボールペンチップ２の先端からのインキの過剰流出が抑えられ、筆跡滲みの生じることがない極めて細い線幅の筆跡が得られる。もし、前記ボール抱持孔３３内におけるボール６の軸方向の移動可能量Ｃが１８μｍを越えると、インキがボールペンチップ２の先端から過剰に流出し、筆跡滲みが生じ、極細の線幅を有する筆跡を得ることができない。
【００１８】
尚、前記ボール６の軸方向の移動可能量Ｃは、３μｍ以上が好ましく、それにより、十分なインキ流出性が得られ、筆跡カスレが発生するおそれがない。さらに、前記ボール６の軸方向の移動可能量Ｃは、４μｍ以上１５μｍ以下の範囲が好ましく、それにより、より一層、筆跡滲みを防止するとともに、筆跡カスレを防止し、適正な極細の線幅を有する筆跡が得られる。
【００１９】
前記請求項１の水性ボールペン１において、筆記距離０ｍ〜１００ｍにおけるインキ消費量が６０ｍｇ（ミリグラム）未満（好ましくは５０ｍｇ未満）であること（請求項２）が好ましい。
【００２０】
前記筆記距離０ｍ〜１００ｍにおけるインキ消費量が６０ｍｇ未満（好ましくは５０ｍｇ未満）であることにより、インキの過剰流出が抑えられ、筆跡滲みの生じることがない極めて細い線幅を有する筆跡が得られる。もし、前記筆記距離０ｍ〜１００ｍにおけるインキ消費量が６０ｍｇ以上の場合、インキがボールペンチップ２先端から過剰に流出し、筆跡滲みが生じ、極細の線幅の筆跡を得ることができない。尚、前記筆記距離０ｍ〜１００ｍにおけるインキ消費量は、インキ流出不足を防止し、筆跡カスレが生じない点で、８ｍｇ以上（好ましくは１０ｍｇ以上）が好ましい。即ち、前記筆記距離０ｍ〜１００ｍにおけるインキ消費量は、８ｍｇ以上６０ｍｇ未満（好ましくは１０ｍｇ以上５０ｍｇ未満、さらに好ましくは２０ｍｇ以上５０ｍｇ未満）が有効である。前記範囲のインキ消費量により、より一層、筆跡滲みがなく、しかも、筆跡カスレのない、極細の線幅を有する筆跡が得られる。
【００２１】
前記請求項２の水性ボールペン１において、前記ボール６の外径が０．１ｍｍ以上０．３ｍｍ未満（好ましくは０．１ｍｍ〜０．２９ｍｍ、さらに好ましくは０．２ｍｍ〜０．２９ｍｍ）であり、前記ボール抱持孔３３内におけるボール６の軸方向の移動可能量Ｃが３μｍ〜１８μｍ（好ましくは４μｍ〜１５μｍ）であり、前記筆記距離０ｍ〜１００ｍにおけるインキ消費量が８ｍｇ以上６０ｍｇ未満（好ましくは１０ｍｇ以上５０ｍｇ未満）であること（請求項３）が好ましい。
【００２２】
前記請求項３の水性ボールペン１により、より一層、筆跡滲みがなく、しかも、筆跡カスレがない、極めて細い線幅を有する筆跡が得られる。
【００２３】
前記請求項１、２または３の水性ボールペン１において、ボール６の軸方向の突出量Ｌが、ボール６の外径の１５％以上２５％未満であること（請求項４）が好ましい。
【００２４】
前記請求項４により、紙面に対して斜めに筆記してもボール６が紙面から離れることなく十分に筆記可能であり、しかも、前記極細の線幅を有する筆跡を得るための適正なボール６の軸方向の移動可能量Ｃを、容易に設定できる。もし、前記ボール６の軸方向の突出量Ｌが、ボール６の外径の１５％未満の場合、紙面に対して傾斜して筆記した際に、ボール６が紙面から離れて筆記不能となったり、筆跡カスレが生じるおそれがある。また、ボール６の軸方向の突出量Ｌが、ボール６の外径の２５％を越える場合、適正なボール抱持力を確保するためにボール６とボール抱持孔３３のカシメ部５との隙間が小さくなりがちであり、前記ボール抱持孔３３内におけるボール６の軸方向の移動可能量Ｃを適正に設定することが困難となる。
【実施例】
【００２５】
本発明の実施例を図面に従って説明する。図１乃至図２に本発明の実施例を示す。
【００２６】
本発明の水性ボールペン１は、軸筒７と、該軸筒７内に交換可能に収容されるボールペンレフィル８とからなる。
【００２７】
（軸筒）
前記軸筒７は、金属製の先軸７１と、合成樹脂製の後軸７２と、合成樹脂製の尾栓７３とからなる。
【００２８】
（先軸）
前記先軸７１は、金属材料（例えば真鍮）の切削加工により得られる。前記先軸７１の先端部は、外周面が、切削加工により先細状に形成される。また、前記先軸７１の先端には、切削加工により、ストレート状の先端孔が貫設され、前記先端孔の後方の先軸７１の内面には、切削加工により、テーパ状内面が形成され、さらに、前記テーパ状内面の後方の先軸７１内面には、切削加工により、雌ネジ部が形成される。
【００２９】
（後軸）
前記後軸７２は合成樹脂の射出成形により得られる。前記後軸７２の先端部外周面に、雄ネジ部が形成され、前記雄ネジ部と、前記先軸７１の雌ネジ部が着脱自在に螺合される。また、前記後軸７２の後端開口部には、尾栓７３が圧入固着される。
【００３０】
（ボールペンレフィル）
前記ボールペンレフィル８は、ボールペンチップ２と、該ボールペンチップ２が先端部に固着された合成樹脂製のホルダー８２と、該ホルダー８２の先端部に固着され且つボールペンチップ２の外周面を支持する支持筒８３と、前記ホルダー８２が先端開口部に固着され且つ後端が開口されたインキ収容管８１とからなる。
【００３１】
（インキ収容管）
前記インキ収容管８１は、合成樹脂（例えばポリプロピレン）の押出成形により得られる。前記インキ収容管８１の内部には、インキ８１ａ（例えば水性ゲルインキ）と、該インキ８１ａの後端に配置され、該インキ８１ａの消費に伴って前進する追従体８１ｂ（例えば高粘度流体）とが充填されている。
【００３２】
（ホルダー）
前記ホルダー８２は、合成樹脂（例えばポリプロピレン）の射出成形により得られる。前記ホルダー８２は、筒状前部と、鍔部と、筒状後部とが一体に形成されてなる。前記筒状前部は、ボールペンチップ２が圧入固着される。前記鍔部は、前記筒状前部の後方に連設されるとともにインキ収容管８１の先端面、後軸７２の先端面、及び先軸７１のテーパ状内面に当接される。前記筒状後部は、前記鍔部の後方に連設されるとともにインキ収容管８１の先端開口部に圧入固着される。
【００３３】
（ボールペンチップ）
前記ボールペンチップ２は、ステンレス鋼（例えば、ＳＵＳ３２１等のオーステナイト系ステンレス鋼）よりなる直円筒状の金属製本体３と、該金属製本体３の先端近傍の内面に内方への押圧変形（ポンチ加工）によって形成した複数（ここでは３個）の内方突起よりなるボール受け座４と、前記金属製本体３の先細状先端部３１の先端を円周状に内方変形（カシメ変形）させることによって形成したカシメ部５と、前記ボール受け座４と前記カシメ部５との間に形成されるボール抱持孔３３と、前記ボール抱持孔３３内で回転可能に抱持されるボール６とからなる。
【００３４】
前記ボール６は、外径Ａが０．２５ｍｍのものが採用される。前記金属製本体３は、先細状先端部３１の後端から金属製本体３の後端まで直円筒状部３２が形成され、ニードル形状となる。前記ボール６の外径Ａが０．２５ｍｍの場合、前記直円筒状部３２の外径は、０．４５ｍｍに設定される。前記ボール抱持孔３３内における軸方向のボール６の移動可能量Ｃは、８μｍに設定される。前記ボール６の軸方向の突出量Ｌは、ボール外径Ａの２３．５％に設定される。本実施例の水性ボールペン１のインキ消費量は、ここでは筆記距離０ｍ〜１００ｍの区間で測定され、４５ｍｇであった。前記水性ボールペン１を手書き試験したところ、筆跡の滲みや筆跡のカスレがなく、極細の筆跡幅（０．１３ｍｍ〜０．１６ｍｍ）を有する筆跡が得られた。
【００３５】
（支持筒）
前記ホルダー８２の筒状前部の外周面には、金属製の支持筒８３が固着される。前記支持筒８３は、前記ボールペンチップ２の先端部後方の外周面を支持し、筆記時のボールペンチップ２のぐらつきを防止する。
【００３６】
（試験結果）
表１は、ボール外径Ａが０．２５ｍｍの図１及び図２に示す構造の水性ボールペン１において、ボール６の軸方向の移動可能量Ｃ、インキ消費量の異なる３種類のサンプル（実施例、比較例１、比較例２）について、手書き試験を行った結果を示す。
【００３７】
【表１】
2006062341.tif 000003
【００３８】
（インキ消費量の測定）
前記インキ消費量の測定は、螺旋状に筆記する筆記試験機（筆記速度：４ｍ／分、筆記荷重：５０ｇ、筆記角度：７０度）にて筆記させ、筆記距離０ｍから１００ｍにおけるインキ消費量を測定した。
【００３９】
（筆跡の評価）
前記筆跡の評価は、前記インキ消費量を測定する前の水性ボールペン１を、検査員３名の手書きにより、「筆跡カスレ」及び「筆跡滲み」の有無について確認した。
【図面の簡単な説明】
【００４０】
【図１】本発明の水性ボールペンの実施例を示す縦断面図である。
【図２】（ａ）が図１のボールペンチップを示す要部拡大縦断面図であり、（ｂ）が前記（ａ）のＸ−Ｘ線断面図である。
【符号の説明】
【００４１】
１  水性ボールペン
２  ボールペンチップ
３  金属製本体
３１  先細状先端部
３２  直円筒状部
３３  ボール抱持孔
４  ボール受け座（内方突起）
５  カシメ部
６  ボール
７  軸筒
７１  先軸
７２  後軸
７３  尾栓
８  ボールペンレフィル
８１  インキ収容管
８１ａ  インキ
８１ｂ  追従体
８２  ホルダー
８３  支持筒
Ａ  ボールの外径（ボールの直径）
Ｌ  ボールの軸方向の突出量
Ｃ  ボールの軸方向の移動可能量
【図１】
2006062341.tif 000004
【図２】
2006062341.tif 000005